(57)【要約】【課題】建物本体にシャッターボックスや日除けなどの障害物が存在しても建物外部構築物を増設でき、且つ側面壁部に換気窓を設置できるようにし、さらに内倒し窓としての換気窓の開閉角度を大きくすることを可能にした建物外部構築物を提供する。【解決手段】建物本体Ｔの外壁Ｔ１に横方向に延設された垂木掛け部１０と、垂木掛け部から前方へ延設された複数の垂木１１と、複数の垂木それぞれの一端と当接し、垂木掛け部が延設する方向と略平行に延設された桁と、桁にそれぞれの上端を当接させて垂設された複数の支柱６と、を備えた建物外部構築物であって、垂木掛け部が、上下に分割可能な上部垂木掛け部１０ａと下部垂木掛け部１０ｂとを有し、垂木掛け部が設けられる外壁の状態に応じて、下部垂木掛け部を取り外し、垂木を上部垂木掛け部に掛設可能である。【選択図】図２
2018044437.tif 000002
【特許請求の範囲】
【請求項１】
建物本体の外壁に横方向に延設された垂木掛け部と、
前記垂木掛け部から前方へ延設された複数の垂木と、
前記複数の垂木それぞれの一端と当接し、前記垂木掛け部が延設する方向と略平行に延設された桁と、
前記桁にそれぞれの上端を当接させて垂設された複数の支柱と、を備えた建物外部構築物であって、
前記垂木掛け部が、上下に分割可能な上部垂木掛け部と下部垂木掛け部とを有し、
前記垂木掛け部が設けられる前記外壁の状態に応じて、前記下部垂木掛け部を取り外し、前記垂木を前記上部垂木掛け部に掛設可能であることを特徴とする建物外部構築物。
【請求項２】
前記下部垂木掛け部は、横方向に分割可能である請求項１に記載の建物外部構築物。
【請求項３】
前記垂木が上下に分割可能な垂木本体と垂木化粧材とを有し、
前記垂木が設けられる前記外壁の状態に応じて、前記垂木化粧材を取り外し、前記垂木本体を前記上部垂木掛け部に掛設可能である請求項１または２に記載の建物外部構築物。
【請求項４】
前記垂木化粧材は、その材軸方向に分割可能である請求項３に記載の建物外部構築物。
【請求項５】
前記複数の垂木のうち最も外側に設けられた妻垂木と、
前記妻垂木に直接または前記桁を介して垂設された妻支柱と、
前記妻支柱から前記外壁に向かって前後方向に延設された妻梁と、
前記妻梁において前記外壁から所定の距離をあけた位置で前記妻梁から前記妻垂木に向かって垂設された第一縦材と、
前記第一縦材よりも前記妻支柱寄りの位置で前記妻梁から前記妻垂木に向かって垂設された第二縦材と、をさらに備え、
前記妻垂木と、前記妻梁と、前記第一縦材と、前記第二縦材とで囲われた領域に、内倒し可能な窓を有する請求項１から４のいずれか一項に記載の建物外部構築物。
【発明の詳細な説明】
【技術分野】
【０００１】
本発明は、サンルームなどの建物外部構築物に関する。
【背景技術】
【０００２】
住宅や店舗などの建物の多機能化を図り、利便性、快適性を向上させることができるという大きな利点を有することから、サンルームやテラス、バルコニーなどのガーデンルームタイプの建物外部構築物や、カーポート、自転車置き場、オープンテラス、物置、通路等のサイドスルータイプの建物外部構築物を住宅などの建物本体の外部に構築（設置、増築）するケースが増大している（例えば、特許文献１、特許文献２参照）。
【０００３】
そして、ガーデンルームタイプの建物外部構築物Ａは、例えば図５に示すように、住宅などの建物本体Ｔの外壁Ｔ１に沿って、且つ外壁Ｔ１と所定の間隔をあけて設けられる前面壁部１と、一端２ａを前面壁部１の上端側に、他端２ｂを建物本体Ｔの外壁Ｔ１側にそれぞれ接続して設けられる屋根部２と、前面壁部１と屋根部２と建物本体Ｔの外壁Ｔ１側にそれぞれ接続して設けられる一対の側面壁部３とを備えて構成されている。
【０００４】
また、この種の建物外部構築物Ａには、前面壁部１を、土間コンクリートやデッキ、独立基礎等の基礎４上に、住宅などの建物本体Ｔの外壁Ｔ１に沿う横方向Ｓ１に配設するとともに外壁Ｔ１と所定の間隔をあけて設置される基台５と、基台５に下端部６ａを接続して立設されるとともに横方向Ｓ１に所定の間隔をあけて並設される複数の支柱６と、複数の支柱６の上端部に接続して横方向Ｓ１に沿って配設される桁７と、下端部を基台５に、両側端部を支柱６に、上端部を桁７にそれぞれ支持させて、隣り合う支柱６の間に配設されるガラス板などの前面パネル（壁面部材）８を備えて構成したものがある。
【０００５】
また、屋根部２は、建物本体Ｔに設置される垂木掛け１０と、横方向Ｓ１に所定の間隔をあけて配設されるとともに、一端を桁７に、他端を垂木掛け１０にそれぞれ接続して架設される複数の垂木１１と、垂木１１に支持させて屋根面を形成する例えばポリカーボネートやアクリル等の樹脂板やガラス板等の屋根材１２とを備えて構成されている。
【０００６】
側面壁部３には、前面壁部１と同様に、基台５、支柱６及び側面パネル（壁面部材）１３を設置して構成したり、折れ戸１４や窓を設置して構成したものがある。
【０００７】
また、前面壁部や側面壁部には、腰壁を設け、この腰壁の上方に支柱やガラス板などの壁面部材（前面パネルや側面パネルなど）、窓などを設置して構成したものもある。
【０００８】
一方、側面壁部３を形成する際には、例えば、前面壁部１の妻支柱６の上端部側に一端を接続し、建物本体Ｔの外壁Ｔ１側の側面壁部３の妻支柱６に他端を接続し、アルミ押出し形材の妻梁１５を横方向の奥行き方向Ｓ２に沿って水平に設置する。これにより、妻梁１５と前面壁部１の妻支柱６と側面壁部３の妻支柱６で囲まれて方形状の枠部２０が形成され、この方形状の枠部２０内に支柱６や側面パネル１３、折り戸１４などを設置するようにしている。
【０００９】
また、本実施形態では、妻梁１５と妻垂木１１と側面壁部３の妻支柱６で囲まれた略三角形状の枠部２１が側面壁部３の上部に形成される。そして、一般に、この略三角形状の枠部２１内にはガラス板（ＦＩＸ窓２３）を設置することが多い。
【００１０】
これに対し、例えば図６に示すように、妻梁１５と妻垂木１１と側面壁部３の妻支柱６で囲まれた側面壁部３の略三角形状の枠部２１に、内倒し窓の換気窓２５を取り付けることが提案、実用化されている。
【００１１】
そして、側面壁部３の上部に形成された略三角形状の枠部２１内に換気窓２５を設置して構成する場合には、例えば、図６及び図７に示すように、妻垂木１１（あるいは窓枠の上枠）と平面視略三角形状の換気窓（障子）２５の上框２５ａとをホイトコなどの開閉用金具（開閉機構）２６で接続し、且つ、妻垂木１１（あるいは上枠）と換気窓２５の上框２５ａとにキャッチ錠２７を取り付けるようにしている。
【００１２】
例えば、図７に示すように、枠取付部材２６ａと建具取付部材２６ｂとステー２６ｃを備えた開閉用金具２６を用い、妻垂木１１（あるいは上枠）の下面に建具取付部材２６ｂを妻垂木１１に沿って設置する。また、一端を建具取付部材２６ｂにヒンジ結合するとともに建具取付部材２６ｂの延設方向に摺動可能且つ回動可能に結合し、他端を換気窓２５の上框２５ａにヒンジ結合して枠取付部材２６ａを設置する。そして、一端を枠取付部材２６ａにヒンジ結合し、他端を建具取付部材２６ｂにヒンジ結合してステー２６ｃを取り付ける。
【００１３】
これにより、換気窓２５を内倒しすると、枠取付部材２６ａの一端が摺動／回動するとともに、ステー２６ｃがヒンジ部で回動する。そして、ステー２６ｃの長さに応じた角度 θ１で止まることで換気窓（障子）２５が開く。
【００１４】
さらに、妻垂木１１に設けられたトップラッチ受けと、換気窓２５の上框２５ａに設けられたトップラッチとからなるキャッチ錠２７を備えていることにより、換気窓２５を枠部２１内に戻すとともにトップラッチがトップラッチ受けに係合して換気窓２５が閉じた状態で保持される。また、使用者がフック棒などでトップラッチ操作し、トップラッチとトップラッチ受けの係合を解除することで、換気窓２５を傾動させて開くことができる。
【先行技術文献】
【特許文献】
【００１５】
【特許文献１】特開２００７−２４７１７６号公報
【特許文献２】特開２００８−１７４９１７号公報
【発明の概要】
【発明が解決しようとする課題】
【００１６】
ここで、上記従来のサンルームなどの建物外部構築物Ａを既存の建物に増築する際には、図６に示すように、既存の建物（建物本体Ｔ）の外壁Ｔ１に突設されたシャッターボックス３０や日除けの上部に垂木掛け１０を設置し、このシャッターボックス３０や日除けなどが室内側に配されるようにして建物外部構築物Ａを構築することになる。
【００１７】
そして、このようなシャッターボックス３０や日除けなどが建物の外壁Ｔ１に突設されていると、側面壁部３の略三角形状の枠部２１内に内倒し窓として設置した換気窓２５に干渉し、換気窓２５を設置できなくなってしまう。
【００１８】
また、従来のサンルームなどの建物外部構築物Ａでは、図７及び図８に示すように、平面視略三角形状の内倒し窓としての換気窓２５を開閉する開閉機構（開閉用金具２６）が、妻垂木１１や窓枠の上枠の下面に建具取付部材２６ｂを設置し、枠取付部材２６ａやステー２６ｃを換気窓２５の上框２５ａにヒンジ結合して構成されている。
【００１９】
そして、この場合には、換気窓２５の開閉角度θ１を大きくしようとするとステー２６ｃを長くし、ステー２６ｃと換気窓２５の上框２５ａ間の接続部のクリアランスｔを大きくする必要が生じて強度確保が困難になってしまう。このため、シャッターボックス３０や日除けなどの有無にかかわらず、換気窓２５の開閉角度θ１が例えば１５度程度で、大きく換気窓２５を開くことができないという問題があった。
【００２０】
本発明は、上記事情に鑑み、建物本体にシャッターボックスや日除けなどの障害物が存在しても建物外部構築物を増設でき、且つ側面壁部に換気窓を設置できるようにし、さらに内倒し窓としての換気窓の開閉角度を大きくすることを可能にした建物外部構築物を提供することを目的とする。
【課題を解決するための手段】
【００２１】
上記の目的を達するために、この発明は以下の手段を提供している。
【００２２】
本発明の建物外部構築物は、前面壁部と、一端側を前記前面壁部に接続して設けられた屋根部と、一側端側を前記前面壁部に、上端側を前記屋根部に接続して設けられた一対の側面壁部とを備え、前記屋根部の他端側と前記側面壁部の他側端側をそれぞれ建物本体の外壁に繋げて構築される建物外部構築物であって、少なくとも一方の前記側面壁部が、前記前面壁部の妻支柱に一端を接続し、前記建物本体の外壁側の前記側面壁部の妻支柱に他端を接続した妻梁を備えるとともに、該妻梁と前記屋根部の妻垂木と前記側面壁部の妻支柱で囲まれた略三角形状の枠部内に開閉可能な換気窓を備えて構成され、且つ、前記枠部には、前記側面壁部の妻支柱から所定の間隔をあけて第１縦材が配設され、前記妻梁と前記屋根部の妻垂木と前記第１縦材で囲まれた枠部内に前記換気窓が設けられていることを特徴とする。
【００２３】
この発明においては、妻梁と屋根部の妻垂木と側面壁部の妻支柱で囲まれた側面壁部の略三角形状の枠部内に、側面壁部の妻支柱から所定の間隔をあけて、すなわち建物本体の外壁から所定の間隔をあけて第１縦材を設け、この第１縦材と妻梁と屋根部の妻垂木とで囲まれた枠部内に換気窓を設けることにより、換気窓の一側端部の位置を建物本体の外壁から所定の間隔で離した状態で換気窓を設置することが可能になる。
【００２４】
これにより、建物本体の外壁にシャッターボックスや日除けなどの障害物がある場合であっても、この障害物の突出量に応じて第１縦材の位置を設定することで、障害物が換気窓の開閉の支障になることを防止し、好適に換気窓を設けることが可能になる。
【００２５】
また、本発明の建物外部構築物においては、前記枠部には前記前面壁部から所定の距離をあけて第２縦材が配設され、前記妻梁と前記屋根部の妻垂木と前記第１縦材と前記第２縦材で囲まれた枠部内に前記換気窓が設けられていることが望ましい。
【００２６】
この発明においては、妻梁と屋根部の妻垂木と側面壁部の妻支柱で囲まれた側面壁部の略三角形状の枠部内に、第１縦材に加え、前面壁部から所定の距離をあけて（前面壁部から建物本体の外壁側の位置に）第２縦材を設け、この第２縦材と第１縦材と妻梁と屋根部の妻垂木とで囲まれた枠部内に換気窓を設けるように構成することにより、第１縦材と換気窓の一側端部の縦框、第２縦材と換気窓の他側端部の縦框をそれぞれ、ホイトコなどの開閉用金具で接続し、換気窓の開閉を行うことが可能になる。すなわち、換気窓の側部に開閉機構を設けることが可能になる。
【００２７】
さらに、本発明の建物外部構築物においては、前記換気窓を内倒し窓として開閉させる開閉機構が前記第１縦材及び／又は前記第２縦材と前記換気窓の側部の縦框とに接続して設けられていることが望ましい。
【００２８】
この発明においては、換気窓を内倒し窓として開閉させる開閉機構が第１縦材及び／又は第２縦材と換気窓の側部の縦框とに接続して設けられていることにより、従来のように換気窓の上框と上枠とに接続して開閉機構を設ける場合と比較し、強度確保が容易になり、換気窓の開閉角度を大きくとることが可能になる。
【発明の効果】
【００２９】
本発明の建物外部構築物によれば、換気窓の側端部の位置を建物本体の外壁から所定の間隔で離した状態で換気窓を設置することができることにより、建物本体にシャッターボックスや日除けなどの障害物が存在しても建物外部構築物を増設でき、且つ側面壁部に換気窓を設置できるようにし、さらに内倒し窓としての換気窓の開閉角度を大きくすることが可能になる。
【図面の簡単な説明】
【００３０】
【図１】本発明の一実施形態に係る建物外部構築物を示す斜視図である。
【図２】本発明の一実施形態に係る建物外部構築物の垂木掛けを示す図である。
【図３】本発明の一実施形態に係る建物外部構築物換気窓を示す図である。
【図４】本発明の一実施形態に係る建物外部構築物換気窓を示す図である。
【図５】従来の建物外部構築物を示す斜視図である。
【図６】従来の建物外部構築物の換気窓を示す図である。
【図７】従来の建物外部構築物の換気窓を示す図である。
【図８】従来の建物外部構築物の開閉機構を示す図である。
【発明を実施するための形態】
【００３１】
以下、図１から図４、図６を参照し、本発明の一実施形態に係る建物外部構築物について説明する。ここで、本実施形態では、本発明に係る建物外部構築物が、住宅や店舗などの建物本体に繋げて構築されるガーデンルームタイプの建物外部構築物であるものとして説明を行う。
【００３２】
本実施形態の建物外部構築物は、サンルーム（ガーデンルーム）であり、例えば図１に示すように、前面壁部１と、一対の側面壁部３と、屋根部２とを備えて構成されている。
【００３３】
前面壁部１は、建物本体Ｔのサッシ窓等の開口部を備えた外壁Ｔ１から所定の間隔で離間し、且つ外壁Ｔ１に略平行に対向して配設されている。そして、本実施形態の前面壁部１は、土間コンクリートやデッキ、独立基礎等の基礎４上に載置して固設されるとともに、建物本体Ｔの外壁Ｔ１に沿う横方向Ｓ１に延設された基台５と、基台５に下端部６ａを接続して立設されるとともに、横方向Ｓ１に所定の間隔をあけて並設された複数の支柱６と、複数の支柱６の上端部に接続して横方向Ｓ１に架設された桁７と、下端部を基台５に、両側端部を隣り合う支柱６に、上端部を桁７にそれぞれ支持させて壁面を形成するガラス板などの前面パネル（壁面部材）８とを備えて構成されている。
【００３４】
屋根部２は、桁７よりも上方位置の建物本体Ｔの外壁Ｔ１に、横方向Ｓ１に沿って固設された垂木掛け１０と、一端を垂木掛け１０に、他端を桁７に接続して斜設されるとともに、横方向Ｓ１に所定の間隔をあけて配設された複数の垂木１１と、隣り合う垂木１１に固定して支持され、屋根面を形成する例えばポリカーボネートやアクリル等の樹脂板、ガラス板の屋根材１２とを備えて構成されている。
【００３５】
また、桁７と垂木掛け１０の間に配設され、横方向Ｓ１に延設された中骨材（連結材）２４によって隣り合う垂木１１が連結されている。
なお、基台５、支柱６、垂木掛け１０、垂木１１、中骨材２４はアルミ押出し形材を用いて形成されている。
【００３６】
ここで、本実施形態の垂木掛け１０は、図２に示すように、上部垂木掛け部１０ａと下部垂木掛け部１０ｂの２つの部材に分割可能に形成されている。そして、建物本体Ｔの外壁Ｔ１にシャッターボックスや日除けなどの障害物３０が存在する場合には、この障害物３０が干渉しないように、障害物３０が存在する部分の下部垂木掛け部１０ｂを除いて垂木掛け１０を形成できるように構成されている。
【００３７】
また、例えば、障害物３０に干渉しないように下部垂木掛け部１０ｂを部分的に切断したり、予め下部垂木掛け部１０ｂを横方向Ｓ１に複数に分割可能で着脱可能に形成してもよい。この場合には、障害物３０に干渉しない数の下部垂木掛け部１０ｂの分割片を撤去し、障害物３０が垂木掛け１０に干渉することを防止できる。さらに、下部垂木掛け部１０ｂを切断するなどして撤去した場合には、その端部にカバー部材を取り付け、室内側からの意匠性を確保するように構成する。
【００３８】
次に、本実施形態の垂木１１は、図１及び図２に示すように、桁７と垂木掛け１０の間に架設される垂木本体１１ａと、垂木本体１１ａの下端側に着脱可能に取り付けられて、垂木１１の構造耐力を増大させるとともにサンルームの室内側からの意匠性を向上させる垂木化粧材１１ｂとを備えて形成されている。また、垂木１１は、垂木本体１１ａの上面側に着脱可能に取り付けられて屋根材１２を保持する垂木カバー１１ｃを備えている。
【００３９】
そして、上記の通り、垂木１１の室内側に配される部分が、垂木本体１１ａと垂木化粧材１１ｂの２つの部材で構成されているため、建物本体Ｔの外壁Ｔ１にシャッターボックスや日除けなどの障害物３０が存在する場合には、この障害物が干渉する部分の垂木化粧材１１ｂを除いて垂木１１を構成できるようにしてもよい。
【００４０】
例えば、障害物３０に干渉しないように垂木化粧材１１ｂを部分的に切断したり、予め垂木化粧材１１ｂの建物本体Ｔの外壁Ｔ１側の先端側を垂木１１の材軸方向に分割可能で着脱可能に形成してもよい。この場合には、障害物３０に干渉しない数の垂木化粧材１１ｂの分割片を撤去して、障害物３０が垂木１１に干渉することを防止できる。また、垂木化粧材１１ｂを切断するなどして撤去した場合には、その先端部分にカバー部材を取り付け、室内側からの意匠性を確保するように構成する。
【００４１】
一方、本実施形態の側面壁部３は、図１に示すように、前面壁部１と同様、基台５と支柱６と側面パネル（壁面部材）１３を備えて形成したり、折り戸１４や窓を設置して形成されている。そして、前面壁部１の妻支柱６の上端部側に一端を接続し、建物本体Ｔの外壁Ｔ１側の側面壁部３の妻支柱６に他端を接続して妻梁１５が横方向の奥行き方向Ｓ２に沿って水平に設置されている。これにより、妻梁１５と前面壁部１の妻支柱６と側面壁部３の妻支柱６で囲まれて方形状の枠部２０が形成され、この方形状の枠部２０内に支柱６と側面パネル１３、窓、折り戸１４などが設置される。
【００４２】
さらに、側面壁部３の上部には、妻梁１５と妻垂木１１と側面壁部３の妻支柱６で囲まれて略三角形状の枠部２１が形成されている。
【００４３】
そして、本実施形態の側面壁部３においては、図１及び図３に示すように、この略三角形状の枠部２１内に、側面壁部３の妻支柱６から所定の間隔をあけて第１縦材３１が配設され、さらに、前面壁部１から所定の距離をあけて第２縦材３２が配設されている。これにより、妻梁１５と屋根部２の妻垂木１１と第１縦材３１と第２縦材３２で囲まれた略台形状の枠部３３が形成され、この略台形状の枠部３３内に内倒し窓の換気窓（障子）３５が開閉可能に設置されている。
【００４４】
さらに、本実施形態の側面壁部３においては、換気窓３５の第１縦材３１側の一側部側と、第２縦材３２側の他側部側とにそれぞれ開閉用金具（開閉機構）３６が設けられている。
【００４５】
具体的に、本実施形態の開閉用金具３６は、例えばステー３６ａを備えたホイトコであり、図４に示すように、一端を第１縦材３１や第２縦材３２に、他端を換気窓の窓枠の縦框３５ａにヒンジ結合したステー３６ａを備えて構成されている。
【００４６】
これにより、従来のように妻垂木１１と換気窓２５の上框２５ａにステー２５ｃをヒンジ結合して設置して開閉機構を設けた場合よりも強度確保が容易で、例えば従来と比較し、倍以上の開閉角度θ２で換気窓３５を開閉できるようになる。
【００４７】
なお、この換気窓３５は、妻垂木１１に設けられたトップラッチ受け２７ａと、換気窓３５の上框３５ｂに設けられたトップラッチ２７ｂとからなるキャッチ錠２７を備えている。これにより、換気窓３５を枠部３３内に戻すとともにトップラッチ２７ｂがトップラッチ受け２７ａに係合して換気窓３５を閉じた状態で保持することができる。また、使用者がフック棒などでトップラッチ２７ｂを操作し、トップラッチ２７ｂとトップラッチ受け２７ａの係合を解除することで、換気窓２５を傾動させて開くことができる。
【００４８】
また、本実施形態の側面壁部３においては、図３に示すように、妻梁１５と屋根部２の妻垂木１１と第１縦材３１と側面壁部の妻支柱６で囲まれた建物本体Ｔの外壁Ｔ１側の枠部３７や、妻梁１５と屋根部２の妻垂木１１と第２縦材３２で囲まれた前面壁部１側の枠部３８には、ＦＩＸ窓３９などが設置されている。
【００４９】
そして、上記のように構成した本実施形態の建物外部構築物Ｂにおいては、妻梁１５と妻垂木１１と妻支柱６で囲まれた側面壁部３の略三角形状の枠部２１内に、側面壁部３の妻支柱６から所定の間隔をあけて、すなわち建物本体Ｔの外壁Ｔ１から所定の間隔をあけて第１縦材３１を設け、この第１縦材３１と妻梁１５と妻垂木１１とで囲まれた枠部３３内に換気窓３５を設けることで、換気窓３５の一側部の位置を建物本体Ｔの外壁Ｔ１から所定の間隔で離した状態で換気窓３５が設置される。
【００５０】
これにより、建物本体Ｔの外壁Ｔ１にシャッターボックスや日除けなどの障害物３０がある場合であっても、この障害物３０の突出量に応じて第１縦材３１の位置を設定することで、障害物３０が換気窓３５の開閉の支障になることを防止し、好適に換気窓３５を設けることが可能になる。
【００５１】
また、妻梁１５と妻垂木１１と側面壁部３の妻支柱６で囲まれた側面壁部３の略三角形状の枠部２１内に、第１縦材３１に加え、前面壁部１から所定の距離をあけて（前面壁部１から建物本体Ｔの外壁Ｔ１側の位置に）第２縦材３２を設け、この第２縦材３２と第１縦材３１と妻梁１５と妻垂木１１とで囲まれた枠部３３内に換気窓３５を設けるように構成することで、第１縦材３１と換気窓３５の一側部の縦框３５ａ、第２縦材３２と換気窓３５の他側部の縦框３５ａをそれぞれ、ホイトコなどの開閉用金具３６で接続し、換気窓３５の開閉を行うことが可能になる。すなわち、換気窓３５の側部に開閉機構を設けることが可能になる。
【００５２】
そして、換気窓３５を内倒し窓として開閉させる開閉機構を第１縦材３１及び（又は）第２縦材３２と換気窓３５の側部の縦框３５ａとに接続して設けることにより、従来のように換気窓の上框と上枠とに接続して開閉機構を設ける場合と比較し、強度確保が容易になり、換気窓３５の開閉角度θ２を大きくとることが可能になる。
【００５３】
よって、本実施形態の建物外部構築物Ｂによれば、換気窓３５の側部の位置を建物本体Ｔの外壁Ｔ１から所定の間隔で離した状態で換気窓３５を設置することができることにより、建物本体Ｔにシャッターボックスや日除けなどの障害物３０が存在しても確実に建物外部構築物Ｂを増設でき、且つ側面壁部３に換気窓３５を設置できるようにし、さらに内倒し窓としての換気窓３５の開閉角度θ２を大きくすることが可能になる。
【００５４】
以上、本発明に係る建物外部構築物の一実施形態について説明したが、本発明は上記の一実施形態に限定されるものではなく、その趣旨を逸脱しない範囲で適宜変更可能である。
【００５５】
例えば、本実施形態では、換気窓３５の開閉機構がホイトコであるものとして説明を行ったが、伸縮アーム、押倒金物、ストッパ付金物などの他の開閉用金具（開閉機構）を用いてもよい。この場合においても、本実施形態のように、略台形状の換気窓３５の一側部側や他側部に設けることで、換気窓３５を大きく開くことが可能になる。
【符号の説明】
【００５６】
１      前面壁部
２      屋根部
２ａ    一端
２ｂ    他端
３      側面壁部
４      基礎
５      基台
６      支柱
６ａ    下端部
７      桁
８      前面パネル（壁面部材）
１０    垂木掛け
１０ａ  上部垂木掛け部
１０ｂ  下部垂木掛け部
１１    垂木
１１ａ  垂木本体
１１ｂ  垂木化粧材
１１ｃ  垂木カバー
１２    屋根部
１３    側面パネル（壁面部材）
１４    折れ戸
１５    妻梁
２０    方形状の枠部
２１    略三角形状の枠部
２３    ＦＩＸ窓
２４    中骨材
２５    換気窓（障子）
２５ａ  上框
２６    開閉用金具（開閉機構）
２６ａ  枠取付部材
２６ｂ  建具取付部材
２６ｃ  ステー
２７    キャッチ錠
２７ａ  トップラッチ受け
２７ｂ  トップラッチ
３０    障害物（シャッターボックス）
３１    第１縦材
３２    第２縦材
３３    略台形状の枠部
３５    換気窓（障子）
３６    開閉用金具（開閉帰国）
３６ａ  ステー
３７    枠部
３８    枠部
３９    ＦＩＸ窓
Ａ      従来の建物外部構築物
Ｂ      建物外部構築物
Ｔ      建物本体
Ｔ１    外壁
【図１】
2018044437.tif 000003
【図２】
2018044437.tif 000004
【図３】
2018044437.tif 000005
【図４】
2018044437.tif 000006
【図５】
2018044437.tif 000007
【図６】
2018044437.tif 000008
【図７】
2018044437.tif 000009
【図８】
2018044437.tif 000010